(57)【特許請求の範囲】
【請求項１】
基地局と遠隔局を有する通信システムにおいて、情報ビットストリームの伝送を改良するための方法であって：
伝送される前記ビットストリームを受信することと；
前記情報ビットストリームの伝送電力レベル値が、所定のしきい値を超えていることに応答して、少なくとも第１および第２伝送信号を形成することと、ここで前記第１および第２伝送信号の各々は、前記情報ビットストリームから選択されたビットの異なる組み合わせを含み、前記情報ビットストリームのためにより低いレートで符号化されるビットストリームを有する；および
第１および第２の伝送リンクのそれぞれの１つを介して前記第１および第２伝送信号の少なくとも各々を伝送する、方法。
【請求項２】
前記第１および第２の伝送リンクは前記遠隔局と単一基地局との間に形成される、請求項１の方法。
【請求項３】
前記第１および第２の伝送リンクは異なる伝送チャネル上に確立される、請求項２の方法。
【請求項４】
前記第１および第２の伝送リンクは前記遠隔局と複数の基地局との間に形成される、請求項１の方法。
【請求項５】
前記第１および第２の伝送リンクの各々の伝送信号は同一ウオルシュコードと混合される、請求項４の方法。
【請求項６】
前記遠隔局は前記複数の基地局との間でソフトハンドオフ状態にある、請求項４の方法。
【請求項７】
前記遠隔局は単一基地局内でよりソフトなハンドオフ状態にある、請求項２の方法。
【請求項８】
利用可能な拡散コードの数が所定のレベルを越えているかを判断することを、さらに備える、請求項１の方法。
【請求項９】
Ｒ＝１／ｎコードを用いて前記情報ビットストリームを符号化することをさらに備える、ここにおいて
ｎは出力ビットの数を示す整数値である、請求項１の方法。
【請求項１０】
前記第１伝送信号および第２伝送信号を形成することは、
前記情報ビットストリームの交互のビットを、前記第１伝送信号および第２伝送信号に割り当てる、請求項９の方法。
【請求項１１】
通信システムにおいて、情報ビットストリームの伝送を改良するための装置であって：
伝送される前記ビットストリームを受信する手段と；
前記情報ビットストリームの伝送電力レベル値が、所定のしきい値を超えていることに応答して、少なくとも第１および第２伝送信号を形成する手段と、ここで前記第１および第２伝送信号の各々は、前記情報ビットストリームから選択されたビットの異なる組み合わせを含み、前記情報ビットストリームのためにより低いレートで符号化されるビットストリームを有する；および
第１および第２の伝送リンクのそれぞれの１つを介して前記第１および第２伝送信号の少なくとも各々を伝送する手段と、
を備える装置。
【発明の詳細な説明】
【発明の属する技術分野】
【０００１】
この発明は一般に通信に関し、特に通信システムにおける情報信号の伝送の改良に関する。
【関連出願の記載】
【０００２】
雑音があるチャネルに対する通信リンクの品質は信号のエネルギー対干渉雑音比Ｅｂ／Ｎｏに依存する。通信リンクに対して必要なビットエラーレートを得るためには特別なＥｂ／Ｎｏが必要である。ビットエラーレートはチャネル伝搬特性を含むいくつかのパラメータの関数である。目標のＥｂ／Ｎｏに到達するために、送信器は十分な電力で信号を送信しなければならない。実際問題として、この種の通信システムは電力が制限される。電力が制限されたシステムにおいて、送信器は所望のビットエラーレートを維持するのに必要な電力量を必然的に送信することができない。ＣＤＭＡシステムにおいて、システムの各リンクにより必要とされる電力の合計がシステムの全能力を決定する。従って各通信リンクは実行できる最も低いＥｂ／Ｎｏを必要とすることが望ましい。
【０００３】
ＣＤＭＡシステムにおいて、必要なＥｂ／Ｎｏを低減するために、伝送されるデータを符号化することができる。多くの異なるエンコーダが技術的に知られている。例えばコンボルーショナル(convolutional)およびターボ(turbo)エンコーダはこの目的に適している。すべての適したエンコーダは符号化された情報信号の冗長度を作るという同じ基本的な仕事を行なう。そのような符号化技術において、各符号化されたビットは複数の入力ビットの関数である。
【０００４】
例えば、図１のエンコーダシステムはＣＤＭＡ通信システムの必要なＥｂ／Ｎｏを低減するために使用するのに適した冗長符号化信号を供給するために使用することができる。エンコーダシステム１のＲエンコーダ４はｋ情報ビットのストリーム(stream)を受信し、ｎ個の符号化ビットのより大きなストリームを出力する。この場合Ｒは符号レートである。コードレートＲは単位時間あたり符号化ビットｎの数に対する単位時間あたり情報ビットｋの数の比である。従ってＲ＝ｋ／ｎであり、ｎ＝ｋ／Ｒである。レートＲエンコーダ４の出力における符号化ビットストリーム６のｎビットは伝送チャネル８を介して伝送可能である。レートＲでコーダ１２はレートＲエンコーダ４により行なわれる動作の逆である復号動作を行なう。すなわち、レートＲデコーダ１２は、レートＲエンコーダ４に入力されたｋ情報ビット２に実質的に等しいｋ情報ビット１４に受信したｎ符号化ビット１０を変換する。ＣＤＭＡシステムにおいて、一般に、レートＲ＝１／２またはＲ＝１／３である。
【０００５】
同様の符号化技術に対して、より低いコードレートＲは同じビットエラーレートを得るためにより低いＥｂ／Ｎｏを可能にすることが知られている（但し、１／３は１／２より「低い」と理解される）。しかしながら、この性能の改良は、コードレートＲが低すぎると無視できるようになる。一般に、Ｒ＝１／６以下ではさらなる改良はほとんど生じない。さらに、コードレートＲが小さくなるに従って符号化ビットの数が増大するので、Ｒ＝１／６により低いコードレートに対して必要な多数の符号化ビットを送信することは望ましくないまたは可能ですらない。一般に１／２と１／３のコードレートが望ましい。
【０００６】
より低いコードレートの使用は望ましいけれども、ＣＤＭＡ通信システムにおいて必要なＥｂ／Ｎｏを低くするので、そうすることによってシステム能力を低下するような全体の悪影響を有するならより低いコードレートを使用することは望ましくないとみなす。
【０００７】
より低いコードレートはより高いコードレートよりも多くの伝送のためのビットを発生する。例えばシステムに関するコードレートが１／２から１／４に減少すると、システムにより伝送するのに必要な符号化ビットの数を２倍にするであろう。従って遠隔局と基地局との間の帯域幅はそのようなコードレートの減少を支持するために２倍にする必要があるであろう。
【０００８】
ＣＤＭＡシステムにおいて、符号化されたビットストリームを直交的に拡散するために使用されるウオルシュ(Walsh)コードの長さを半分にすることにより順方向リンクに関する実効的な帯域幅を２倍にすることができるであろう。例えば６４ビットから３２ビットにＣＤＭＡシステムで使用されるウオルシュコードの長さを半分にすることにより、与えられたデータストリームは符号化ビットの半分の数で順方向リンクを伝送できるであろう。ウオルシュコードの長さを減少することは、実効的に遠隔局と基地局との間の帯域幅を増大するけれども、ウオルシュコードの長さを低減することは望ましくない。なぜならそうすることによりウオルシュコードのたまりpool)を減少するからである。技術的によく知られているように、ウオルシュコードの減少したたまりは、システムがサポートできるユーザの数を減少させる。システムがすべてのウオルシュコードをユーザに割当てた時、それ以上ユーザをシステムに追加できない。なぜならシステムは「コード制限されている」と言われているからである。
【０００９】
システムの拡散コードの数は制限されているので、低コードレートＲを用いて得られる利得の利点はさらなる拡散コードの使用という不利点により相殺され得る。従って、ＣＤＭＡ通信システムの各ユーザにより使用されるコードレートＲを減少することはユーザ当りの必要なＥｂ／Ｎｏを改善するけれども、拡散コードの不足を作ることによりユーザの数も制限される。準直交関数(quasi-orthogonal function)を用いて、または多重スクランブル（multiple scrambling)（ＰＮ）コードを用いて、さらに拡散コードを作る方法も存在するけれども、これらの技術は最後の手段として使用される。何故なら、これらの技術はシステムの全体の干渉レベルを著しく増大させるからである。
【００１０】
コード制限される他に、基地局が送信できる電力量の制限により所定時間にシステムがサポートできるユーザ数が制限されるかもしれない。許容されるよりもさらに多くの電力を送信することは、隣接するセルにより許容できない干渉を生じるであろう。新しいユーザがシステムに追加されると、基地局により送信される電力量は増大するであろう。基地局が送信できる電力量に制限があるので、送信できる合計電力量によりユーザ数が制限されるかもしれない。それゆえ、たとえ利用可能なさらなる拡散コードがあるとしても、ユーザ数は基地局により送信可能な電力量により制限されるであろう。基地局は、電力送信制限により所定時間にサポートできるユーザ数が制限されるので、システムは「電力制限される」と言われる。
【００１１】
遠距離通信システムの性能−通常アーラン(Erlangs)、ビット／秒、ユーザ数で測定される性能を改良するために、コード制限と電力制限の両方を考慮する必要がある。所望とされるものは、システムがコード制限されるとともに電力制限されることを考慮して、遠距離通信システムが同時にサポート可能なユーザ数でしばしば測定される遠距離通信システムのシステム性能を増大する方法である。
【概要】
【００１２】
基地局と遠隔局を有する通信システムにおいて情報信号の伝送を改良するための方法が開示される。第１および第２の伝送リンクが遠隔局を用いて確立される。基地局信号は符号化されて、情報信号よりもより多くのビットを有する符号化された情報信号を供給する。第１および第２の伝送信号が供給され、各伝送信号は符号化された情報信号から選択されたビットを有する。第１および第２の伝送信号は各々、それぞれ第１および第２の伝送リンクの一方により遠隔局に伝送される。遠隔局は遠隔局により送信された第１および第２の伝送信号を受信して結合し結合された符号化信号を供給する。結合された符号化信号は遠隔局によりデコードされ情報信号を供給する。第１および第２の伝送リンクは遠隔局と単一の基地局との間にまたは遠隔局と２つの異なる基地局との間で作ることができる。
【図面の簡単な説明】
【００１３】
【図１】図１は無線通信システムにおいて信号を符号化するのに適した一般的な情報ビットストリームエンコーダシステムを示す。
【図２】図２は無線通信システムにおいて、情報を伝送するための方法のブロック線図表示を示す。
【図３】図３は必要な信号を供給するために下位コードのパンクチャリング(puncturing)を用いた符号発生器システムを示す。
【図４】図４はこの発明の方法が有利に適用される無線通信システムを示す。
【図５】図５は無線通信システムにおいて情報を伝送するための方法の代替ブロック線図表示を示す。
【図６】図６は遠隔局の簡単化された説明図を示すブロック図である。
【図７】図７はデジタル復調器およびウオルシュ逆拡散装置の一部のブロック図である。
【図８】図８はドット積発生器の例示実施例のブロック図である。
【図９】図９はデジタル復調器およびウオルシュ逆拡散装置の一部のブロック図である。
【発明の実施の形態】
【００１４】
この発明の特徴、目的および利点は、同じ参照符号は全体を通して対応するエレメントを識別する図面と一緒に下記詳細な説明からより明白となるであろう。
【００１５】
図２はこの発明の一実施例に従う信号伝送方法２４０のブロック図である。信号伝送方法２４０において、遠隔局に伝送される基地局情報ビットストリームはブロック２４２において符号化のために受信される。次にプロセスはブロック２４４に移動する。
【００１６】
ブロック２４４において、情報ビットストリームは低レート符号化ビットストリームに符号化され、ビットを遠隔局に伝送するのに必要な要求されるＥｂ／Ｎｏを減少する（上述したように、より低いコードレートはより高いコードレートよりもより多くのビットを発生するが、同じ品質のサービスを得るためにより少ない伝送電力を必要とする）。例示実施例において、エンコーダはレート１／４ターボエンコーダである。他の実施例において、種々のエンコーダレートおよび種類を使用することができる。例示実施例において、１／４レート符号化ビットストリームの奇数ビット群は１／２レート符号化ビットストリームを構成し、偶数ビット群は第２の１／２レート符号化ビットストリームを構成する。言い換えれば、ビット１、３、５等は１つの１／２レート符号化ビットストリームを構成し、ビット２、４、６等は別個の１／２レート符号化ビットストリームを構成する。しかしながら、全ビットは１／４レート符号化ビットストリームからなる。上述した実施例において、１／４レート符号化ビットストリームは、上で参照した低レート符号化ビットストリームである。他の実施例において、異なる組合せのビット群が２つの１／２レートストリームを構成するようにビット群が配置される（例えば最初のｎ／２ビットが１つの１／２レート符号化ビットストリームからなり、第２のｎ／２ビットが第２の１／２レート符号化ビットストリームを構成する）。上記実施例において、低レート符号化ビットストリームが少なくとも１つの標準ビット符号化ビットストリームから構成されるという事実は、ブロック２５０を参照して後述する２つのチャネルに伝送するために使用可能な単一ビットストリームのみをエンコーダが形成可能にし、さらに単一ビットストリームはブロック２５２において単一ビットストリームの一部を単一チャネルで伝送するために使用可能にさせる。さらに他の実施例において、エンコーダは２つの別箇のビットストリームを形成する。１つは低レートで符号化され１つは標準レートで符号化される（例えば、それぞれ１／４レートと１／２レート）。この他の実施例において、低レート符号化ビットストリームは２つの標準レート符号化ビットストリームで構成される必要は無い。この実施例において、プロセスがブロック２５０に分岐するとき、低レート符号化ビットストリームが伝送のために使用され、プロセスがブロック２５２に分岐するとき別箇の標準レート符号化ビットストリームが伝送のために使用される。
【００１７】
次にプロセスはブロック２４４から判断ブロック２４６に移動する。ブロック２４６は、単一標準レート符号化ビットストリームが単一チャネルで伝送すべきかあるいは低レート符号化ビットストリームが２つのチャネルを介して一部分伝送すべきかを判断する判断ブロックを表す。ＣＤＭＡ通信システム内のいかなるパラメータもブロック２４６の判断の基礎として使用できる。判断ブロック２４６で使用するためのパラメータを選択する唯一の規準はなんとかして通信システムを最適化するために使用することができる。従って、判断ブロック２４６においてなされる品質判断は多数の異なる品質要因のいずれかに基づいて行なうことができる。判断を行なう直接的な方法は、高電力レベルで送信していることを送信器に認識させ（例えば基地局の送信電力容量の１０％以上が所定の遠隔局に使用されていることを認識する）、そして送信器が１つの伝送ストリームから２つの伝送ストリームに切替えなければならないことを認識させることである。
【００１８】
一実施例において、ブロック２４６において、単一標準レート符号化ビットストリームとしてデータを伝送するために利用される送信電力量が所定のしきい値を越えているか否かが判断される。所望ビットエラーレートを維持するために必要な伝送の電力レベルが増大されるが、電力レベルは無制限に増大することはできない。従って、判断ブロック２４６において、ビットエラーレートを維持するために「過度の」伝送電力が必要か否かの判断が行なわれる。伝送電力が「過度である」と判断されるなら、プロセスはブロック２５０に進み、低レート符号化ビットストリームが２つのチャネルを介して伝送される。
【００１９】
一実施例において、判断ブロック２４６において、現在利用可能な拡散コードの数が所定の第１のしきい値を超えているか否かもチェックされる。そのような場合、「過度の」電力が判断されなければならないだけでなく、プロセスがブロック２５０に進むために、利用可能な拡散コードの数は第１のしきい値を超えていなければならない。一実施例において、第１のしきい値はゼロであり、少なくとも１つの利用可能な拡散コードが存在しなければならないことを意味する。データを２つのチャネルを介して伝送することにより電力を低減することが望ましいが、このチェックは、第２チャネルに割当てるためのコードが利用可能である必要があるので行なわれる。
【００２０】
一実施例において、判断ブロック２４６において、遠隔局がソフトハンドオフ(soft-handoff)状態にあるかまたはソフタハンドオフ(softer-handoff)状態にあるかが判断される。技術的に知られているように、遠隔局がソフトハンドオフまたはソフタハンドオフ状態にあるとき、遠隔局は、１つ以上のセルサイトセクタ(cell site sector)を用いて通信チャネルを開かせる。以下、ソフトハンドオフとソフタハンドオフの両方を参照するためにソフトハンドオフが使用される。遠隔局がソフトハンドオフの状態にあるなら、プロセスはブロック２５０に進む。プロセスがブロック２５０に進む理由は以下の通りである。一般的なシステムにおいて、各セクタは、セクタ当り１チャネルを用いて同じ標準符号化ビットストリームを伝送するであろう。この実施例の方法を用いればこの場合特別なチャネルを使用しない。なぜなら２つのチャネルしか必要とせず、それらはとにかくソフトハンドオフの期間一般的なシステムで使用されていたであろう。従ってブロック２５０に進むことは、特別なチャネルを使用せず、さらに以下にブロック２５０を参照して述べられる利得を生じる。すなわち、低符号化レートビットストリームを伝送するときは、標準符号化レートビットストリームを伝送するときよりも少ない電力を使用することができる。この関係は、遠隔局がソフトハンドオフ状態にある間従来システムでそうであったように、同じ標準符号化ビットストリームが複数のチャネルに伝送されるときでさえも正しい。従って、得ることのできる省電力機能からの増大したシステム性能により、遠隔局がソフトハンドオフ状態にあるとき、プロセスはブロック２５０に進む。
【００２１】
一実施例において、遠隔局に伝送するために「過度の」電力が使用されていると判断されるか否かに関係無く、ブロック２４６において所定の第２のしきい値を用いてブロック２５０に進むか否かを判断することができる。そのような場合に、利用可能な拡散コードの数が第２しきい値を超えており、従って、問題になっている呼のための特別のコードを用いることがシステム能力を低減するであろうコードの不足につながらないことを示しているなら、遠隔局に伝送するために使用される電力量が過度であるか否かに関係なくプロセスはブロック２５０に進むであろう。この場合、送信器の電力は過度でないかもしれないけれども、送信器の電力を相当量低減することは依然として無線システムの利益になる。なぜならば、他のセルとの干渉の可能性を低減するからである。現在拡散コードの不足は無く、近いうちに拡散コードの不足がある可能性は低いので、（利用可能なコードの数を第２しきい値と比較することにより決定されるように）、拡散コードの１つを用いて送信電力を低減し、システム性能を増大させることは、有益である。
【００２２】
技術に熟達した者は、判断ブロック２４６が上述した実施例のいずれの組合せでも使用することができ、または２つのチャネルを横断して特定の遠隔局にデータを伝送することが通信システムを最適化するか否かを判断することができる他の実施例のいずれかを使用することができ、低レート符号化ビットストリームが２つのチャネルに伝送されるブロック２５０に進むか否かを判断することを理解するであろう。判断ブロック２４６において使用できる１つの簡単な実施例はフラッグ、変数またはレジスタの設定をチェックし、通信システムが、２つのチャネルを横断して特定の遠隔局にデータを伝送することによって益を得るか否かを判断する。これは、２つのチャネルが伝送のために使用されなければならないという複雑な判断が最初に成され、その後に、単一のインジケータビットまたは複数ビットを含むメッセージ、これらは共に以降インジケータメッセージと呼ぶが、遠隔局に送られ、将来、所定の時に、低レート符号化ビットストリームが２つのチャネルに伝送されることを示す通信システムに、有用である。次に、フラッグが遠距離通信システムに設定され、所定の時に２つのチャネルを横断して将来ビットストリームが伝送されなければならないことを示す。そのような場合、まさにフラッグがブロック２４６においてチェックされる必要があるであろう。
【００２３】
ブロック２４６において、通信システムが、２つのチャネルを横断して特定の遠隔局にデータを伝送することによって益を得ると判断されるならば、プロセスはブロック２５０に進む。そうでなければ、プロセスはブロック２５２に進む。
【００２４】
ブロック２５０において、遠距離通信システムは、低レート符号化ビットストリームの第１部分が第１チャネルで伝送され、第２部分が第２チャネルで伝送されるように基地局と通信するモードを使用する。一実施例において、低レート符号化ビットストリームを構成する２つの別箇の標準レート符号化ビットストリームが第１および第２のチャネルを介して伝送される。例えば、低レート符号化ビットストリームが、奇数ビットの標準１／２レート符号化ビットストリームと偶数ビットの標準１／２レート符号化ビットストリームの両方からなる１／４レートビットストリームであるならば、ストリームの奇数ビットは第１チャネルを介して伝送され、偶数ビットは第２チャネルを介して伝送される。上述した実施例において、伝送された部分は長さが等しい。しかしながら、この発明はそのような実施例に限定されない。他の実施例において、可変長の部分を複数のチャネルで伝送することができる。例えば、符号化ビットストリームはそのビット群の１／３を第１チャネルで伝送し、そのビット群の残りの２／３を第２チャネルで伝送するかも知れない。１つよりも２つのチャネルを使用することは通信システム内により高い利得を生じる。第２の伝送チャネルは必要な場合あるいは使用状態にあり得る場合に確立することができる。
【００２５】
符号化ビットストリームが形成された後、各ビットストリームは、手近の特定のシステムのためのトラフィックチャネル要件に従って伝送される。例えば、熟達した人に知られているように、ｃｄｍａ２０００システムにおいて、順方向リンクチャネルの符号化ビットストリームはインターリーブされ、ウオルシュコードによりカバーされ、ＰＮシーケンスを用いて拡散され四相位相変調（ＱＰＳＫ）を用いてデジタルに変調される。このようにして信号伝送を行なうことは、基地局が１つよりはむしろ２つのウオルシュコードを使用する必要がある。なぜなら１つの代わりに２つのチャネルが使用されるからであることが理解されるであろう。さらに、このようにして信号伝送を行なうと、単一チャネルのみが使われていたならば、ブロック２５０の伝送チャネルの各々の伝送電力は所望のビットエラーレートを維持するのに必要な伝送電力の１／２未満であり得る。従って符号化情報信号を伝送するために必要なピーク電力は１／２以上低減する。
【００２６】
このモードでデータを送信すると、通信システムは、下位コードレートでビットストリームを受信開始する必要があることを遠隔局に示す必要があり、この場合、ビットストリームは複数のチャネルのうちで一部分が送信される。ブロック２４６に関連して述べるように、この表示は、このモードでデータ伝送が開始する時点前にインジケータメッセージとして伝送することができる。あるいは、その代わりに、１つ以上のインジケータビットはビットストリームがブロック２５０において伝送されると実質的に同時に伝送することができる。例えば、２つのチャネルを横断してビットストリームを受信するかどうかを判断するために、ビットストリームの開始の直前または開始時に携帯電話が監視する別箇のチャネルが存在し得る。これは、いくつかの遠隔局が専用の第２のウオルシュコードを共有し、遠隔局にそうするように命令するインジケータビットを受信直後に専用ウオルシュコードを用いて第２のチャネルを遠隔局が復号を開始することができる遠距離通信システムに価値があるであろう。
【００２７】
次にプロセスはブロック２４２に戻る。
【００２８】
ブロック２４６に戻り、通信システムは２つのチャネルを横断して特定の遠隔局にデータを伝送することにより益を得ないと判断されるならば、プロセスはブロック２５２に進む。ブロック２５２において、標準レート符号化ビットストリームは第１チャネルを介して伝送される。ある実施例、すなわちエンコーダが単一低レート符号化ビットストリームを形成する実施例において、伝送される標準レート符号化ビットストリームは低レート符号化ビットストリームから抽出される。例えば、奇数ビットは標準レート符号化ビットストリームを形成するために抽出することができる。代わりの実施例において、エンコーダが低レート符号化ビットストリームおよび標準符号化ビットストリームの両方を形成する実施例において、ビットの抽出は必要ない。そのような実施例において、標準レート符号化ビットストリームは単に第１チャネルに伝送される。次に、プロセスはブロック２４２に戻る。
【００２９】
技術的に熟達した人は、代わりの実施例において、ブロックは図２に表される順番である必要はないことが理解される。例えば、技術的に熟達した人は、ある代わりの実施例において、ブロック２４４とブロック２４６を入れ替え、符号化ビットストリームの発生前に低レート符号化ビットを伝送するか否かの判断をすることができることが理解される。符号化ビットストリームの発生前に低レート符号化ビットストリームを伝送するか否かの判断がなされる一実施例は図５に示される。
【００３０】
図５はこの発明の一実施例に従う信号伝送方法１２４０の代わりのブロック図である。信号伝送方法１２４０において、遠隔局に伝送される基地局情報ビットストリームはブロック１２４２において符号化するために受信される。
【００３１】
次に、プロセスはブロック１２４２からブロック１２４６に移動する。ブロック１２４６は判断ブロックであり、単一標準レート符号化ビットストリームは単一チャネル上に伝送すべきかまたは低レート符号化ビットストリームは一部分２つのチャネルを介して伝送すべきか判断する。ＣＤＭＡ通信システム内のパラメータは、判断ブロック１２４６の判断の基礎として使用可能である。判断ブロック１２４６で使用するためのパラメータを選択するための唯一の基準は、パラメータが何らかの方法で通信システムを最適化するために使用することができるかどうかである。従って、判断ブロック１２４６において成される品質判断は多数の異なる品質要因の１つに基づいて行なうことができる。その判断を行なう直接的な方法は、高電力レベルで送信していることおよび１つの送信ストリームから２つの送信ストリームに切替えなければならないことを送信器に認識させることである。
【００３２】
一実施例において、ブロック１２４６において、単一標準レート符号化ビットストリームとしてデータに伝送するために利用される伝送電力量が所定のしきい値を超えているか否か判断する。伝送の電力レベルは、所望のビットエラーレートを維持するために必要に応じて増大されるが、電力レベルは無制限に増大することはできない。従って、判断ブロック１２４６において、ビットエラーレートを維持するために「過度の」伝送電力が必要かどうかの判断がなされる。伝送電力が「過度である」と判断されると、プロセスはブロック１２４４１に進み、低レート符号化ビットストリームが発生され、次にブロック１２５０において２つのチャネルを介して伝送される。これは、過度に高電力レベルで遠隔局に信号を伝送する基地局が２つのチャネルを介して下位コードレートで信号を伝送することにより伝送電力レベルを著しく低減することができるので生じる。得られる伝送電力の著しい低減により、この場合システム能力は、この遠隔局への伝送電力が過度のままでありウオルシュコードが保存されたときよりも、ウオルシュコードの損失があっても、大きくなりがちである。
【００３３】
一実施例において、判断ブロック１２４６において、現在利用可能な拡散コードの数が第１しきい値を超えているか否かもチェックされる。そのような場合、プロセスがブロック１２４４１に移動するために「過度の」電力が判断されなければならないばかりでなく、利用可能な拡散コードの数が第１しきい値を超えてなければならない。ある実施例において第１しきい値はゼロであり、少なくとも１つの利用可能な拡散コードがなければならないことを意味する。２つのチャネルを介してデータを伝送することにより電力を低減することが望ましいが、コードは第２のチャネルに割当てるために利用可能である必要があるので、このチェックは行なわれる。
【００３４】
一実施例において、判断ブロック１２４６において、遠隔局がソフトハンドオフまたはソフタハンドオフ状態にあるか否が判断される。技術的に知られているように、遠隔局がソフトハンドオフまたはソフタハンドオフ状態にあるとき、遠隔局は１つ以上のセルサイトセクタを介して通信チャネルをオープンさせる。以下、ソフトハンドオフはソフトハンドオフとソフタハンドオフの両方を参照するために使用される。遠隔局がソフトハンドオフ状態にあると判断されるなら、プロセスはブロック１２４４１に進み、以下に述べるように低レート符号化ビットストリームが発生され、次に、ブロック１２５０において伝送される。一般的なシステムにおいて、各セクタはセクタあたり１つのチャネル（ウオルシュコード）を用いて同じ標準符号化ビットストリームを伝送するであろう。この実施例の方法を用いるとこの場合特別なチャネルを使用しない。何故なら２つのチャネルしか必要でなく、それらはとにかく一般的なシステムにおいて、ソフトハンドオフの期間使われていたであろう。従って、ブロック１２４４１に進み，次にブロック１２５０に進むことは特別なチャネル（ウオルシュコード）を使用しないけれども、ブロック１２４４１および１２５０を参照して記述される利得を生じる。すなわち、標準符号化レートビットストリームを伝送するときよりも下位符号化レートビットストリームを伝送するとき少ない電力を使用することができる。これは遠隔局がソフトハンドオフの状態のとき一般的なシステムにおける場合と同じ標準符号化ビットストリームが複数のチャネルに伝送されるときでさえも真である。従って、遠隔局がソフトハンドオフの状態にあるときに、得ることのできる電力節約からの増大したシステム性能により、プロセスはブロック１２４４１に移動し、次に、ブロック１２５０に移動する。
【００３５】
一実施例において、ブロック１２４６において、所定の第２のしきい値を用いて「過度の」電力が遠隔局に伝送するために使用されていることを判断するか否かに関係なく、ブロック１２４４１に進むか否か判断することができる。そのような場合、利用可能な拡散コードの数が第２のしきい値を超えており、従って問題となっている呼のための特別コードがシステム能力を低減するコード不足を生じなさそうならば、遠隔局に伝送するために使用される電力量が過度か否かに関係なく、プロセスはブロック１２４４１に進むであろう。この場合、送信器の電力は過度でないかもしれないけれども、他のセルとの干渉の可能性を低減するので、送信器の電力を相当量低減することは無線システムの利益になる。現在拡散コードの不足は無く、（利用可能なコードの数を第２のしきい値と比較することにより決定されるように）近いうちに拡散コードの不足がある可能性は低いので、拡散コードの１つを用いて伝送電力を低減し、システム性能を増大することは有益である。技術的に熟達した人は、低レート符号化ビットストリームが２つのチャネル上に伝送されるブロック１２４４１に進むか否かを判断するために、判断ブロック１２４６は上記実施例のいずれかの組合せを使用することができ、または２つのチャネルを介して特定の遠隔局にデータを伝送することが通信システムを最適化するかどうかを判断することができる他のいずれかの実施例を使用することができることを理解するであろう。判断ブロック１２４６において使用可能な１つの簡単な実施例は、フラッグ、変数、またはレジスタの設定をチェックし、２つのチャネルを介して特定の遠隔局にデータを伝送することによって通信システムが益を得るかどうかを判断することである。これは、２つのチャネルを伝送のために使用するかという複雑な判断を最初に行い、その後で、インジケータメッセージを遠隔局に送信し低レート符号化ビットストリームが将来の所定の時に２つのチャネル上に伝送されるであろう通信システムに有効である。次にフラッグが遠距離通信システムに設定され、所定の時に将来ビットストリームが２つのチャネルを横断して伝送されることを示す。そのような場合、フラッグはブロック１２４６においてチェックする必要があるであろう。
【００３６】
ブロック１２４６において、通信システムは２つのチャネルを横断して特定の遠隔局にデータを伝送することにより益を得ると判断されるなら、プロセスはブロック１２４４１に進み、そうでなければ、プロセスはブロック１２４４２に進む。
【００３７】
ブロック１２４４１において、情報ビットストリームは低レート符号化ビットストリームに符号化され、ビット群を遠隔局に伝送するのに必要な要求されるＥｂ／Ｎｏを低減する（上述したように、下位コードレートは上位コードレートよりもより多くのビットを発生する）。例示実施例において、エンコーダはレート１／４ターボエンコーダ(turbo encoder)である。しかしながら、種々のエンコーダレートおよび種類が使用できることに留意しなければならない。例示実施例において、エンコーダは、１／４レート符号化ビットストリームの奇数が１／２レート符号化ビットストリームを構成し、偶数ビットが第２の１／２レート符号化ビットストリームを構成するような性質を有する。言い換えれば、ビット１、３、５等が１つの１／２レート符号化ビットストリームを構成し、ビット２、４、６等が別個の１／２レート符号化ビットストリームを構成する。しかしながら、全ビットは１／４レート符号化ビットストリームを構成する。上述した実施例において、１／４レート符号化ビットストリームは上記参照した低レート符号化ビットストリームである。代替実施例において、ビット群は、異なる組合せのビット群が２つの１／２レートストリームを構成するように配列される（例えば、第１のｎ／２ビットが第１の１／２レート符号化ビットストリームを構成し、他方第２のｎ／２ビットが第２の１／２レート符号化ビットストリームを構成する）。代替実施例において、低レート符号化ビットストリームは２つの標準レート符号化ビットストリームから構成されない。
【００３８】
次に、プロセスはブロック１２５０に進む。
【００３９】
ブロック１２５０において、低レート符号化ビットストリームの第１の部分は第１のチャネル上に伝送され、第２の部分は第２チャネル上に伝送される。一実施例において、低レート符号化ビットストリームを構成する２つの異なる標準レート符号化ビットストリームは第１および第２のチャネルを介して伝送される。例えば、低レート符号化ビットストリームが奇数ビットの１／２レート符号化ビットストリームと偶数ビットの１／２レート符号化ビットストリームから構成される１／４レートビットストリームであるなら、ストリームの奇数ビットは第１のチャネルを介して伝送され、偶数ビットは第２のチャネルを介して伝送される。上述した実施例において、伝送される部分は長さが等しい。しかしながら、この発明はそのような実施例に限定されない。代替実施例において、可変長の部分は複数のチャネル上に伝送することができる。例えば、符号化ビットストリームは伝送されるビット群の１／３を第１チャネル上に伝送し、伝送されるビット群の残りの２／３を第２チャネル上に伝送することができる。
【００４０】
１つよりも２つのチャネルを使用することは通信システム内により高い利得を生じる。第２の伝送チャネルは必要な時またはすでに使用可能状態にあるときに確立される。さらに、伝送方法１２４０に従って動作する１つ以上の遠隔局は第２チャネルを共有することができる。
【００４１】
このようにして信号伝送を行なうことは、基地局が１つよりもむしろ２つのウオルシュコードを使用することを要求することが理解されるであろう。さらに、このようにして信号伝送を行なうとき、ブロック１２５０の伝送チャネルの各々の伝送電力は、単一チャネルが使用されていたならば、所望のビットエラーレートを維持するのに必要な伝送電力の１／２未満であり得ることが理解されるであろう。従って符号化情報信号を伝送するためのピーク電力要件は１／２以上だけ低減される。
【００４２】
このモードで伝送すると、通信システムは、複数のチャネルのうちでビットストリームが部分的に伝送される下位コードレートでビットストリームを受信開始する必要があることを遠隔局に示す必要がある。ブロック１２４６に関連して述べたように、この表示は、このモードでデータ伝送が始まる時点以前にインジケータメッセージとして伝送することができる。または、代替的に、１つ以上のイインジケータビットは、ビットストリームが、ブロック１２５０において伝送されるのと実質的同時に伝送可能である。例えば、２つのチャネルを横断してビットストリームを受信するか否かを判断するためにビットストリームの受信の直前または開始時に携帯電話が監視する別箇のチャネルがあり得る。これは、いくつかの遠隔局が専用の二次ウオルシュコードを共有し、遠隔局が、遠隔局にそうするように命令するインジケータビットを受信直後に専用ウオルシュコードを用いて第２チャネルを復号開始することができる遠距離通信システムに価値がある。
【００４３】
次に、プロセスはブロック１２４２に戻る。
【００４４】
ブロック１２４６に戻ると、通信システムは、２つのチャネルを横断して特定の遠隔局にデータを送信することから恩恵を受けないと判断されるなら、プロセスはブロック１２４４２に進む。ブロック１２４４２において、標準レート符号化ビットストリームが発生される。一実施例において、標準レート符号化ビットストリームのみがブロック１２４４２において発生される。代替実施例において、低レート符号化ビットストリームが最初に発生され、次に、標準レート符号化ビットストリームが低レート符号化ビットストリームのビット群から抽出される。次にプロセスはブロック１２５２に進み、標準レート符号化ビットストリームが一次チャネルを介して伝送される。次にプロセスはブロック１２４２に進む。
【００４５】
図３はコードジェネレータシステムを示す。コードジェネレータシステム２０のようなエンコーダシステムは、低レートコードの出力の一部を抽出することにより要求されるレートコードＲを持つコードを発生するために使用することができる。例えば、コードジェネレータシステム２０において、２セットの１／２レート符号化ビットストリームが１／４レートエンコーダ２４を用いて供給される。エンコーダシステム２０の情報ビット２２は１／４レートエンコーダ２４に印加されＲ＝１／４符号化ビットストリーム２６を産出する。例示実施例において、出力の奇数ビット群は１／２レート符号化ビットストリームを構成し、偶数ビット群は第２の１／２レート符号化ビットストリームを構成する。従って、奇数ビット群の部分がＲ＝１／４符号化ビットストリーム２６から抽出されると、最初のＲ＝１／２符号化ビットストリーム２８が発生される。同様に、偶数ビット群の部分がＲ＝１／４符号化ビットストリーム２６から抽出されると、第２のＲ＝１／２符号化ビットストリーム３０が発生される。従って、コードレートＲ＝１／２はＲ＝１／４レートエンコーダ２４の出力から所定のセットのビット群を抽出することにより発生可能である。一次チャネル上のＲ＝１／２符号化ビットストリーム２８と二次チャネル上のＲ＝１／２符号化ビットストリームの両方を受信する遠隔局はビット群をその正しい所定の位置に結合することができフルサイズのＲ＝１／４符号化ビットストリーム２６を復号することができる。代替実施例において、エンコーダシステム２０は、異なるコードレートＲで符号化しおよび／または奇数ビット群に位置する２Ｒコードレートビットストリームおよび偶数ビット群に位置する２Ｒコードレートビットストリーム以外のパターンの高次のコードレートの符号化ビットストリームを発生するエンコーダから構成し得ることが、技術に熟達した人により理解される。
【００４６】
コードジェネレータシステム２０は、各々がそれぞれ第１標準レート符号化ビットストリームおよび第２標準レート符号化ビットストリームから構成されるビット群の第１部分および第２部分を含む低レート符号化ビットストリームを発生するために使用することができる。第１標準レート符号化ビットストリーム及び第２標準レート符号化ビットストリームは遠隔局に伝送することができ、そこで結合され、復号されることができる。この伝送方法を用いることにより、非符号化された情報ビットストリームの情報のすべてが、伝送のために使用される２つのチャネルの１つで受信された２つの符号化信号のうちの１つの符号化信号から遠隔局により復号可能である。これは、たとえ伝送の一方が受信されない場合でも受信は信号を復号することができる。しかしながら、符号化信号群の一方のみを用いて行なわれる復号は、符号化信号の両方を用いて行なわれる復号よりも堅固性が少ない。それゆえ、利用可能であるならば、符号化信号の両方を使用すべきである。
【００４７】
符号化ストリームを使用するのに適したコード結合方法は技術的に良く知られている。一般化された事例において提供される符号化ストリームのサブセットのみを遠隔局が受信するなら、遠隔局は低減された復号能力を用いて情報ビット群を復号することができることが技術に熟達した人によって理解される。他のレートのエンコーダＲは他の実施例に使用することができることが技術に熟達した人により理解されるであろう。
【００４８】
図４においてＣＤＭＡ通信システム３０が示される。ＣＤＭＡ通信システム３０は隣接するセクタＳ１およびＳ２および遠隔局３６、３８に位置する基地局３２、３４を含む。ＣＤＭＡ通信システム３０において、遠隔局３６、３８はそれらがセルの端にあるとき、最も悪い伝送干渉を受ける。この主たる理由は、遠隔局が基地局３２、３４から最も遠いとき、伝搬損失は最大だからである。さらに、この時点において遠隔局は干渉セルに最も近い。それゆえ、遠隔局３６，３８がセルの端にあるときに復号結果を改善することは望ましい。
【００４９】
慣習的に通信リンクは遠隔局３６、３８と全ての近くのセクタとの間で確立される。遠隔局３６、３８は近くのセクタの各々から同じ符号化ビットを受信し、一般的なシステムに置いて電力が結合される。このプロセスは異なるセルに属するセクタの場合ソフトハンドオフと呼ばれ、同一セルのセクタの場合ソフタハンドオフと呼ばれる。この実施例の方法はソフトハンドオフおよびソフタハンドオフの両方に有利に適用できる。
【００５０】
この実施例の方法において、ソフトハンドオフの場合に、各セクタは同一情報ビット群を符号化する。しかしながら、符号化は必ずしも同じコードを用いて行なわれない。この実施例の方法において、遠隔局３６は初期セクタＳ１内に十分位置しているとき、呼を開始することができる。この場合、セクタＳ１は通信リンク３３を介してレートＲ１のコードＣ１を用いて符号化された情報ビット群を伝送する。従って遠隔局３６はオリジナルセクタＳ１と他のセクタＳ２との間の境界に移動することができる。この時点で、遠隔局３６は２つのセクタとソフトハンドオフに入る。この発明の一実施例において、セクタＳ２は通信リンク３５を介してレートＲ２のコードＣ２を用いて符号化された同じ情報ビット群を伝送する。Ｒ１コードおよびＲ２コードが正しく選択されるなら、レート１／（（１／Ｒ１）＋（１／Ｒ２））のコードを用いて符号化された情報ビット群の同等物を遠隔局が得るように、遠隔局３６はセクタＳ１からの符号化ビット群のストリームをセクタＳ２からの符号化ビット群のストリームと結合することができる。例えば、コードレートＲ１＝１／２でかつコードレートＲ２＝１／２ならば、遠隔局はこの実施例の方法において、符号化ビットストリームをＲ＝１／４の単一符号化ビットストリームに結合することができる。
【００５１】
遠隔局は正しくビット群を結合しなければならない。奇数ビット群が第１の標準レート符号化ビットストリームを構成し、偶数ビット群が第２の標準レート符号化ビットストリームを構成する低レート符号化機構の例において、奇数ビット群は一方のセクタから伝送され、偶数ビット群は他方のセクタから伝送されるであろう。遠隔局は２つの低レート符号化ビットストリームから標準レート符号化ビットストリーム正しく組み立てることができるように、どのセクタが奇数ビット群を伝送しており、どれが偶数ビット群を伝送しているかを先験的に知る必要がある。この発明の一実施例において、特定のセクタを用いてソフトハンドオフに入るように遠隔局に命令するために現在使用されているハンドオフ方向メッセージは各セクタからのビット群をどのように結合するかを遠隔局に知らせる１つ以上のビットを含む。
【００５２】
一実施例において、ハンドオフメッセージ内の１つ以上のビットの別箇のメッセージ（例えばｃｄｍａ２０００における拡張ハンドオフ方向メッセージ）は、遠隔局に、特定のセクタ上の特定のチャネルからのビット群が他のセクタ上の他のチャネルからのビット群とどのようにして結合するかを知らせる。例えば、システムが上述したように符号化の奇数ビット／偶数ビット方法を使用していたなら、基地局はハンドオフリダイレクション(redirection)メッセージを遠隔局３６に送信することができ、そのメッセージ内の１ビットを用いて遠隔局に、セクタＳ２からビット群をそのストリームの奇数ビット群として取り扱うかあるいは偶数ビット群として取り扱うかを伝え、そして１ビットを用いて遠隔局にセクタＳ２からのビット群をどのように取り扱うべきかを伝えることができる。
【００５３】
他の実施例において、ビット群は、遠隔局との通信のチャネルに相関する基地局識別子に従って所定の態様で順序付けられる。例えば一実施例において、遠隔局がソフトハンドオフ状態にあるときに、低レート符号化ビットストリームの奇数ビット群は最低基地局識別子を有する通信に関連する基地局から送信され、一方低レート符号化ビットストリームの偶数ビット群はその通信に関連する他の基地局から送信されるようにシステムを設計することができる。例えば、遠隔局がＢおよびＣ（図示せず）の識別子を有する基地局とソフトハンドオフ状態にあるなら、基地局Ｂは低レート符号化ビットストリームの奇数ビット群を伝送し、基地局Ｃは偶数ビット群を伝送するであろう。
【００５４】
その後、遠隔局が基地局Ａ、Ｂ、Ｃ（図示せず）との三者間のハンドオフに入るならば、例えばいくつかの実施例の１つが生じるであろう。
【００５５】
そのような実施例の１つにおいて、その部分は新しいまたは第三の基地局に動的に割当てられず、新しい基地局は送信するために常にビット群の固定部分を得る。これは三者間のハンドオフで機能する。何故なら最初の２つの基地局はすでに低レート符号化ビットストリームのすべてのビットを伝送し、第三の基地局は冗長性のために単に使用されるからである。例えば、第三基地局は常に偶数ビット群を伝送することができる。基地局Ａが三者間ハンドオフのために使用される上述の例において、基地局Ａは偶数ビット群を伝送し、一方既存の基地局ＢおよびＣは、双方向のハンドオフ状況（それぞれ奇数ビットと偶数ビット）で伝送しているビット群の部分を伝送する。これは、その呼にすでに含まれる２つのチャネルに対する動的変化をより少なくするためである。
【００５６】
他の実施例において、三者間ハンドオフに入ると、送信される部分は全ての基地局に動的に再割り当てされる。この実施例において、ＩＤはすべて互いに比較され、最低のＩＤを有する基地局はビット群の一方の部分を伝送し、他の基地局はビット群の他方の部分を伝送する。従って、再び基地局Ａ、Ｂ、およびＣを用いて、奇数ビット群が基地局Ａ上で伝送され、偶数ビット群が基地局ＢおよびＣ上で伝送されるであろう。
【００５７】
遠隔局がソフトハンドオフを完全に終了するかまたは三者間ハンドオフから双方向ハンドオフに切り替わるように基地局の１つからの通信が終了すると、遠隔局は、どのようにしてビット群が残りの基地局上で伝送されているかを知る必要がある。
【００５８】
一実施例において、遠隔局がソフトハンドオフを終了すると、既存の基地局は単に、遠隔局が復号する標準レート符号化ビットストリームを伝送する。
【００５９】
一実施例において、遠隔局が三者間ハンドオフから双方向ハンドオフに行くと、基地局は、以前に伝送していた符号化ビットストリームの部分を伝送し続ける。この実施例において、基地局が低レート符号化ビットストリームの異なる部分を伝送していたなら（例えばある基地局は奇数ビット群を伝送し、ある基地局は偶数ビット群を伝送していた）、遠隔局はそれらの部分を低レート符号化ビットストリームに結合する。しかしながら、基地局が共に低レート符号化ビットストリームの同じ部分を伝送していたならば（例えば両方の基地局が偶数ビット群を伝送する）、遠隔局は各受信したビットストリームを標準レート符号化ビットストリームとして復号する。そのような場合、遠隔局が双方向ハンドオフに留まる限り、受信されるビットストリームは、一般的なシステムにおいて取り扱われるのと同じように取り扱われる。
【００６０】
他の実施例において、三者間ハンドオフから双方向ハンドオフに入ると、伝送される部分はすべての基地局に動的に再割り当てされる。この実施例において、ＩＤはすべて互いに比較され、最低のＩＤを持つ基地局がビット群の一方の部分を伝送し、他の基地局がビット群の他方の部分を伝送する。この実施例を用いることにより、双方向ハンドオフにある遠隔局は、三者間ハンドオフにある間問題となっている２つの基地局が同じビットストリームを伝送していたかどうかに関係なく２つのビットストリームを低レート符号化ビットストリームに結合することができる。
【００６１】
遠隔局３８もまた、複数のセクタと通信リンクを確立しなかったとしてもセルの境界においてあるいはフェード(fade)のような異なる状況においてこの発明の方法を使用することができる。通常、いつでもすべての遠隔局にとって付加的なチャネルを使用することは望ましくない。なぜならば付加的チャネルはコードチャネルを消費し、セルはコードチャネルを使い果たす可能性があるからである。これはコード限定により通信システムの能力を低減する。それゆえ、一実施例において、付加的コードリソースはチャネル状態が悪いことにより電力をたくさん使用している遠隔局に割当てられる。このようにしてセルは、コード消費と電力消費とを互いにバランスをとって維持するために、各遠隔局に対して付加的コードチャネルを動的に追加および除去することができる。
【００６２】
セルの境界上にいるためにたくさんの電力を使用している遠隔局３８は所望のとき同一セクタＳ１から伝送された２つのチャネル４０、４２を使用することができる。各チャネル４０、４２は異なるコードで符号化された同一情報ビットを含むことができ、従って遠隔局３８に要求されるＥｂ／Ｎｏを低減する。これらのチャネルの１つは一次チャネルであり、これらのチャネルの１つは二次チャネルである。
【００６３】
例えば丁度図示されている遠隔局３８の場合のように遠隔局がハンドオフ状態にないとき、基地局は基本チャネルおよび補足チャネルを用いて低符号化レートをその遠隔局に伝送することができる。一実施例において、低符号化ビットストリームからのビット群の一方の部分は常に一次チャネル上に伝送され、ビット群の他方の部分は常に補足チャネル上に伝送されるように（例えば奇数ビット群が一次チャネルに行き、偶数ビット群が補足チャネルに行く）、方法論を使用することができる。他の実施例において、基地局はメッセージを遠隔局に送り低符号化ビットストリームのどの部分が一次チャネル上に伝送され、どの部分が補足チャネル上に伝送されるかを知らせることができる。
【００６４】
この発明は伝送の方法の上記実施例あるいは上述した例に限定されないことは技術に熟達した人によって理解されるであろう。特に、奇数ビット群と偶数ビット群の例は、一貫性のためにこのアプリケーション全体で使用された。しかしながら、図２のブロック２４０を参照して述べたように、低レート符号化ビットを分ける他の手段も同様に使用できることは即理解されるであろう。
【００６５】
いつなんどきでも高レベルの電力を消費している遠隔局により必要な電力量を低減することにより、この発明はいつなんどきでも遠距離通信システムがサポートできるユーザの数またはスループットを増大するのに役に立つ。
【００６６】
図６は遠隔局の簡単化された説明図を示すブロック図である。デジタル復調器６２０、ウオルシュ逆拡散装置６３０、ブロックデインタリーバ６４０、コンボルーションデコーダ(convolutional decoder)、および制御プロセッサがデジタルバスを介して接続され、ＲＦ受信器がデジタル復調器６２０に接続される。一実施例において、制御プロセッサ６６０はＲＦ受信器６１０およびデジタル復調器６２０をアクティブにして信号を受信して処理し、スロットページモード(slotted-paging mode)のような電力節約モードのときそれらを非アクティブにすることができる。同様に一実施例において、制御プロセッサ６６０はブロックデインタリーバ６４０およびコンボルーションデコーダ６５０を選択的にアクティブにしたり非アクティブにしたりすることができる。ＲＦ受信器６１０はＲＦ信号をダウンコンバートおよび２値化し、２値化した信号をデジタル復調器６２０に供給する。デジタル復調器６２９は図７を参照してさらに記載されるＰＮ逆拡散技術を用いてデジタル復調を行なう。デジタルに復調されたデータはウオルシュ逆拡散ユニット６３０に渡される。ウオルシュ逆拡散ユニット６３０は図７を参照してさらに記載されるウオルシュ逆拡散技術を実行し、少なくとも１つのビットストリーム出力を産出する。トラフィックチャネルのような符号化チャネルのために、ビットストリーム出力はブロックデインタリーバ６４０に供給される。オン／オフキーイング(on-off keying)（ＯＯＫ）変調ダイレクトシーケンススペクトル拡散を使用する符号化されていないチャネルであるクイックページングチャネル(quick paging channel)のような符号化されていない補助チャネルをサポートする実施例において、符号化されていない補助チャネルのためのビットストリーム出力がウオルシュ逆拡散装置６３０から制御プロセッサ６６０に、さらに処理するための符号化されていないビットストリームとして供給される。符号化されたチャネルに関して、デインタリーバ６４０はウオルシュ逆拡散装置６３０により供給されるビットストリーム出力をデインターリーブし、デインタリーブした出力ストリームをコンボルーションデコータ６５０に供給する。コンボルールションデコーダ６５０は、ビタービデコーディング(Viterbi decoding)またはターボデコーディング(Turbo decoding)のような技術的に知られているコンボルーションデコーディング技術を使用して、無線環境を介して伝送された情報ビットストリームに生じるビットエラーを訂正することを試みる。コンボルーショナルにデコードされたビットストリームは更なる処理のために制御プロセッサ６６０に供給される。
【００６７】
一実施例において、インジケータメッセージを受信した後、制御プロセッサ６６０はデジタル復調器６２０とウオルシュ逆拡散装置６３０に、データを受信する一般的なモードから、２つのチャネルを横断して低符号化レートでデータが受信されるこの実施例のモードに切替えるよう命令する。同様に、制御プロセッサ６６０はデジタル復調器６２０およびウオルシュ逆拡散装置６３０に対して、所定時間後に、またこの実施例のモードを終了するように命令する基地局からの別のメッセージを受信すると、この実施例のモードから、
標準のデータ受信モードに切り替わるように命令することができる。
【００６８】
一実施例において、制御プロセッサ６６０は、インジケータメッセージのために符号化されていないビットストリームを監視する。一実施例において、制御プロセッサ６６０はインジケータメッセージのためにコンボルーショナルにデコードされたビットストリームを監視する。
【００６９】
制御プロセッサ６６０は、フィールドプログラマブルゲートアレイ（ＦＰＧＡ）、プログラマブルロジックデバイス（ＰＬＤ）、デジタルシグナルプロセッサ（ＤＳＰ）、１つ以上のマイクロプロセッサ、特定用途向け集積回路（ＡＳＩＣ）あるいは、上述した機能を実行可能な他の装置で実現できることは、技術的に熟達した人は認識するであろう。
【００７０】
図７は、データが低レートの符号化を用いて符号化され、一次チャネルおよび二次チャネルを介して一部分伝送され、一次チャネルおよび二次チャネルの伝送は同じ基地局から由来するこの実施例のデータ受信モードにおいてデータを受信するために使用することができるデジタル復調器６２０およびウオルシュ逆拡散装置６３０の一部のブロック図である。
【００７１】
ＰＮ逆拡散器７１０は、（ＲＦ受信器６１０からの）２値化信号入力に関して、技術的に熟達した人に良く知られているＰＮ逆拡散を実行し、ＰＮでスプレッド信号の同相（Ｉ）成分および矩象（Ｏ）成分を産出し、各成分は入力信号としてウオルシュ逆拡散器７２０およびパイロットフィルタ７４０に供給される。
【００７２】
ウオルシュ逆拡散器７２０ａはＩ入力７１２およびＱ７１４入力を、低符号化レートビットストリームの第１部分が伝送された一次チャネルに相当する第１ウオルシュコードと乗算し、１つのウオルシュシンボルに渡って逆拡散信号を加算し、出力として、ウオルシュ逆拡散Ｉ７２２ａおよびウオルシュ逆拡散Ｑ７２４ａを産出する。Ｉ７２２ａおよびＱ７２４ａは入力としてドット積７５０ａに供給される。
【００７３】
ウオルシュでスプレッド７２０ｂは、Ｉ入力７１２およびＱ入力７１４を、低符号化レートビットストリームの第１部分が伝送された一次チャネルに相当する第１ウオルシュコードと乗算し、１つのウオルシュシンボルに渡って逆拡散信号を加算し、出力としてウオルシュ逆拡散Ｉ７２２ｂおよびウオルシュ逆拡散Ｑ７２４ｂを産出する。Ｉ７２２ＢおよびＱ７２４ｂは入力としてドット積７５０ｂに供給される。
【００７４】
一実施例において、パイロットフィルタ７４０は受信した信号から多少の雑音を除去するために使用されるロウパスフィルタである。代替実施例において、パイロットフィルタ７４０はウオルシュ逆拡散器７２０ａに類似するが、異なるウオルシュコードで逆拡散するウオルシュ逆拡散器を構成し、その直後にロウパスフィルタが続く。技術に熟達した人に明らかなように、Ｉ７４２おおよびＱ７４４は本質的にパイロット信号の平滑化された推定値である。パイロット信号が、一方または両方のデータストリームにときたま介挿され数ビットから構成され、ウオルシュ逆拡散器７２０ａおよび７２０ｂの出力において抽出されることも技術に熟達した人には明白であろう。
【００７５】
ドット積はパイロットフィルタの出力を有した共役複素積として技術的に知られているものとして機能する。ドット積７５０はデータチャネル上に伝送されるＩおよびＱの値の推定値であるＩ信号出力およびＱ信号出力を産出する。そのようなドット積装置は技術に熟達した人々に知られている。ドット積装置の例示実施例は図８に示される。
【００７６】
ドット積７５０ａの出力、すなわちＩ７５２ａおよびＱ７５４ａは一次チャネルのＩ成分およびＱ成分であり、シンボル抽出器７６０ａに供給される。これは一次シンボル抽出機と呼ばれる。なぜならばそれは一次チャネルに対応するシンボルを抽出するからである。ドット積７５０ｂの出力、すなわちＩ７５２ｂおよびＱ７５４ｂは二次チャネルのＩ成分およびＱ成分であり、シンボル抽出器７６０ｂに供給される。これは二次シンボル抽出器と呼ばれるであろう。何故ならそれは二次チャネルに対応するシンボルを抽出するからである。
【００７７】
各シンボル抽出器７６０は使用される変調の種類に基づいて一連のシンボル７６２を生じる。ＱＰＳＫ変調技術を用いてデータが伝送される例示実施例において、シンボル抽出器７６０はＩおよびＱ入力７５２および７５４の各対に対して２つのシンボルを生じる。２進位相変調（ＢＰＳＫ）技術を用いてデータが伝送された他の例示実施例において、シンボル抽出器７６０はＩおよびＱ入力７５２および７５４の各対に対して１つのシンボル７６２を生じる。シンボル抽出器７６０はこれらのシンボルを加算装置７６８に供給する。他の変調技術を使用する代替実施例において、シンボル抽出器７６０を無くすことができる。この場合複素ＩおよびＱ信号７５２および７５４は直接加算装置７６８に供給するかまたは直接マルチプレクサ（加算装置７６８も無い実施例において）に供給することができる。
【００７８】
２チャネルフィンガ(two-channel finger)は単一基地局により発生された単一伝送信号からの２つのチャネル（一次および二次）を追跡するために使用される２チャネルフィンガを表す。各２チャネルフィンガ７８０は一次および二次のチャネル出力を産出する。シンボル抽出器が存在する実施例において、２チャネルフィンガ７８０の一次チャネル出力は一次シンボル抽出器（例えば図７の７６２ａ）の出力であり、二次チャネル出力は二次シンボル抽出器（例えば図７の７６２ｂ）の出力である。シンボル抽出器が存在しない代替実施例において、一次チャネル出力は一次ＩおよびＱ値（例えば７５２ａおよび７５４ａ）であり二次チャネル出力は二次ＩおよびＱ値（例えば７５２ｂおよび７５４ｂ）である。
【００７９】
マルチパス信号が生じる理由を説明するために、各々がわずかに異なるＰＮオフセットすなわち時間遅延で受信された信号を追跡する複数の２チャネルフィンガ７８０からの出力は加算装置７６８に供給される。加算装置７６８は各２チャネルフィンガ７８０により産出される一次チャネル出力を加算しそれをＭＵＸ７０に供給する。さらに、加算装置７６８は各２チャネルフィンガ７８０により産出される二次チャネル出力を加算し、加算値をＭＵＸ７７０に供給する。技術に熟達した人に知られているように、加算器は、伝送されたＩおよびＱまたはシンボル値のより良い推定値を発生するために複数のフィンガの出力を結合するために使用される。ある実施例において、加算装置７６８はまた受け入れ可能なダイナミックレンジ内に信号を維持するために信号を設計し直すことができる。代替実施例において、結合された推定値はＭＵＸ７７０前に発生する必要はなく、むしろＭＵＸ７７０の後で発生することができる。代わりの実施例において、加算装置７６８はＭＵＸ７７０前に存在せず、その場合各２チャネルフィンガ７８０からの一次チャネル出力および二次チャネル出力は直接ＭＵＸ７７０に供給される。
【００８０】
一実施例において、ＭＵＸ７７０は加算装置７６８からの一次チャネルデータおよび二次チャネルデータを入力として受信し、ブロックデインターリーバ(block deinterleaver)６４０に供給される単一シンボルストリームに配列する。シンボルは２つのチャネル上にデータを伝送するために使用される方法に従って配列される。例えば、奇数ビット群が一次チャネル上に伝送され、偶数ビット群が二次チャネル上に伝送される例示実施例において、ＭＵＸ７７０は、一次チャネルに対応した最初に受信したシンボルの推定値に引き続いて二次チャネルに対応した最初に受信したシンボルの推定値が続くようにシンボル７６２を配列する。そのような実施例において、このプロセスは反復し、一次チャネルに対応した他のシンボルが出力され、それに続いて二次チャネルに対応した他のシンボルが続く。ＭＵＸ７７０により生じるシンボルストリームは、図６を参照してさらに記述されるコンボルーションデコーダ６５０に供給される。
【００８１】
ドット積７５０の例示実施例が図８に示される。図８において、Ｉ７４２およびＩ７２２は複素乗算器８１０ａにおいて複素乗算され、Ｉ７４２およびＱ７２４は複素乗算器８１０ｂにおいて複素乗算される。同様に、Ｑ７４４およびＱ７２４は複素乗算器８１０ｃで複素乗算され、Ｑ７４４およびＩ７２２は複素乗算器８１０ｄで複素乗算される。次に、複素乗算器８１０ａの出力は複素乗算器８１０ｃの出力と結合器８２０ａにおいて加算され、Ｉ７５２を産出する。複素乗算器８１０ｄの出力は複素乗算器８１０ｂの出力から減算されＱ７５４を産出する。
【００８２】
図９はデータが低レートの符号化を用いて符号化され、一部分一次および二次チャネル上に伝送され、一次および二次チャネルの伝送が異なる基地局から由来され、または一次および二次チャネルの伝送が同一基地局から由来する（後者は、一次および二次チャネルが同一基地局から由来する場合に図７を参照して記載された装置の代替物を供給する）この実施例のデータ受信モードにおいてデータを受信するために使用することができるデジタル復調器６２０およびウオルシュ逆拡散装置６３０の一部のブロック図である。
【００８３】
ＰＮ逆拡散器９１０ａは、（ＲＦ受信器６１０からの）２値化信号入力に、技術が熟達した人に良く知られている、ＰＮ逆拡散を行なう複素ＰＮ逆拡散器であり、ＰＮ逆拡散信号の同相（Ｉ）および矩象（Ｑ）成分を産出する。これらの成分の各々はウオルシュ逆拡散器９２０およびパイロットフィルタ９４０に入力として供給される。ＰＮ逆拡散器９１０ａは第１基地局からの一次チャネルをデコードするために使用される。
【００８４】
ＰＮ逆拡散器９１０ｂはＰＮ逆拡散器９１０ｂのように機能する複素逆拡散器である。ＰＮ逆拡散器９１０ｂは第２基地局からの第２チャネルをデコードするために使用される点において異なって動作する。一実施例において、ＰＮ逆拡散器９１０ｂはＰＮ逆拡散器９１０ａとして逆拡散するために同じＰＮコードを使用するが、いつでもＰＮ逆拡散器９１０ｂはＰＮ逆拡散器９１０ａがＰＮコードのある部分を用いてデコードするのとは異なるＰＮコードの部分を用いてデコードする。そのような実施例において、いつなんどきでもデコードするために各デコーダにより使用されるＰＮコードはチャネルをデコーディングしている基地局に相関するＰＮオフセットにより決定される。そのような実施例において、第１基地局のためのＰＮオフセットは第２基地局のＰＮオフセットと異なるので、２つのＰＮ逆拡散器９１０はいつなんどきでも受信した信号をＰＮコードの異なる部分を用いてデコードする。代わりの実施例において、ＰＮ逆拡散器９１０ａはＰＮ逆拡散器９１０ｂが受信した信号を逆拡散するためのＰＮコードとは異なるＰＮコードを用いて受信した信号を逆拡散する。他の代替例において、一次および二次チャネル伝送が同一基地局から由来する場合に使用するために、１つの一次チャネルＰＮ逆拡散器９１０ａと１つの二次チャネルＰＮ逆拡散器９１０ｂは同じＰＮコードおよび同じＰＮオフセットを用いて伝送をデコードする。これは、図７を参照して記載した単一の２チャネルフィンガ７８０ａの代わりに使用することができる。
【００８５】
ウオルシュ逆拡散器９２０ａはＩ９１２ａ入力およびＱ９１４ａ入力を、低符号化レートビットストリームが伝送された第１部分上の一次チャネルに相当する第１ウオルシュコードと乗算し、１つのウオルシュシンボル上で逆拡散信号を加算し、ウオルシュ逆拡散Ｉ９２２ａおよびウオルシュ逆拡散Ｑ９２４ａを出力として産出する。Ｉ９２２ａとＱ９２４ａは入力としてドット積９５０ａに供給される。
【００８６】
ウオルシュ逆拡散器９２０ｂは、Ｉ９１２ｂ入力およびＱ９１４ｂ入力を、低符号化レートビットストリームが伝送された第２部分上の二次チャネルに相当する第２ウオルシュコードと乗算し、１つのウオルシュシンボル上で逆拡散信号を加算し、ウオルシュ逆拡散Ｉ９２２ｂおよびウオルシュ逆拡散Ｑ９２４ｂを出力として産出する。Ｉ９２２ｂおよびＱ９２４ｂは入力としてドット積９５０ｂに供給される。
【００８７】
一実施例において、パイロットフィルタ９４０は受信した信号から多少の雑音を除去するために使用されるロウパスフィルタである。代替実施例において、パイロットフィルタ９４０は、ウオルシュ逆拡散器９２０ａに類似したウオルシュ逆拡散器だが、異なるウオルシュコードを逆拡散するウオルシュ逆拡散器と、その直後に続くロウパスフィルタとで構成される。技術に熟達した人には明白であるように、Ｉ９４２ａおよびＱ９４４ａは第１基地局のパイロット信号の本質的に平滑化された推定値である。第１基地局のパイロット信号はいずれかまたは両方のデータストリームにときたま挿入される数ビットから構成することができ、ウオルシュ逆拡散器９２０ａの出力において抽出されることも、技術に熟達した人には明白であろう。同様に、技術に熟達した人には明白であるように、Ｉ９４２ｂおよびＱ９４４ｂは第２基地局のパイロット信号の本質的に平滑化された推定値である。第２基地局のパイロット信号はいずれかまたは両方のデータストリームにときたま挿入される数ビットから構成することができ、ウオルシュ逆拡散器９２０ｂの出力において抽出されることも、技術に熟達した人には明白であろう。
【００８８】
ドット積９５０は、パイロットフィルタの出力を有した共役複素積として技術的に知られているものとして機能する。ドット積９５０はデータチャネル上に伝送されるＩ値およびＱ値の７５０推定値であるＩ信号出力およびＱ信号出力を産出する。そのようなドット積装置は技術に熟達した人々に知られている。ドット積装置の例示実施例は図８に示される。
【００８９】
ドット積の出力、すなわちＩ９５２ａおよびＱ９５４ａは一次チャネルのＩ成分およびＱ成分でありシンボル抽出器９６０ａに供給される。これは一次チャネルに対応するシンボルを抽出するので一次シンボル抽出機と呼ばれるであろう。ドット積９５０ｂの出力、すなわちＩ９５２ｂおよびＱ９５４ｂは二次チャネルのＩ成分およびＱ成分であり、シンボル抽出器９６０ｂに供給される。これは、二次チャネルに対応するシンボルを抽出するので、二次シンボル抽出器と呼ばれるであろう。
【００９０】
各シンボル抽出器９６０は使用される変調の種類に基づいて一連のシンボル９６２を生じる。データがＱＰＳＫ変調技術を用いて伝送された例示実施例において、シンボル抽出器９６０はＩ入力９５２およびＱ入力９５４の各対に対して２つのシンボル９６２を生じる。２進位相変調（ＢＰＳＫ）技術を用いてデータが伝送された他の例示実施例において、シンボル抽出器９６０はＩ入力９５２およびＱ入力９５４の各対に対して１つのシンボル９６２を生じる。シンボル抽出器９６０はこれらのシンボルを加算装置９６８に供給する。技術に熟達した人は、他の変調技術を使用する他の実施例において、シンボル抽出器９６０は無いかもしれない。その場合に、複素ＩおよびＱ信号９５２は加算装置９６８の直接供給されるかまたはＭＵＸ９７０（加算装置９６８も無い実施例において）に直接供給されるであろう。
【００９１】
フィンガ９８０ａは、単一基地局により発生された単一伝送信号からの単一チャネル（一次チャネル）を追跡するために使用されるフィンガを表す。各フィンガ９８０は、一次チャネルまたは二次チャネルを追跡し、それに応じて一次チャネル出力または二次チャネル出力を産出する。例えば、フィンガ９８０ａは一次チャネルを追跡し、それゆえ一次チャネル出力を産出し、フィンガ９８０ｂは二次チャネルを追跡し、それゆえ二次チャネル出力を産出する。シンボル抽出器が存在する実施例において、一次チャネルを追跡するフィンガ９８０の一次チャネル出力は一次シンボル抽出器（例えば図９の９６２ａ）の出力であり、二次チャネルを追跡するフィンガ９８０の二次チャネル出力は二次シンボル抽出器（例えば図９の９６２ｂ）の出力である。シンボル抽出器が存在しない代替実施例において、一次チャネル出力は一次ＩおよびＱ値（例えば９５２ａおおよび９５４ａ）であり、二次チャネル出力は二次ＩおよびＱ値（例えば９５２ｂおよび９５４ｂ）である。
【００９２】
マルチパス信号が生じる理由を説明するために、各々がわずかに異なるＰＮオフセットすなわち時間遅延で受信された一次または二次の信号を追跡する複数のフィンガ９８０からの出力は加算装置９６８に供給される。加算装置９６８は各一次チャネルフィンガ９８０により産出された二次チャネル出力を加算し、その加算値をＭＵＸ７７０に供給する。技術に熟達した人に知られているように、加算装置９６８は、受け入れ可能なダイナミックレンジ内に信号を維持するために信号を設計し直すこともできる。代替実施例において、結合された推定値はＭＵＸ９７０以前に発生する必要はなく、むしろＭＵＸ９７０の後に発生することができる。代替実施例において、加算装置９６８はＭＵＸ９７０の前段に無い。その場合、それぞれ各一次チャネルフィンガ９８０および二次チャネルフィンガ９８０からの一次出力および二次出力は直接ＭＵＸ９７０に供給される。
【００９３】
一実施例において、ＭＵＸ９７０は、デインタリーバ６４０を阻止するために設けられる単一シンボルストリームにＭＵＸ９７０が配列する一次チャネルデータおよび二次チャネルデータを入力として受信するマルチプレクサである。シンボル群は２つのチャネルを介してデータを伝送するために使用される方法に従って配列される。例えば、奇数ビット群が一次チャネル上に伝送され、偶数ビット群が二次チャネル上に伝送される例示実施例において、ＭＵＸ９７０は、一次チャネルに対応する最初に受信したシンボルの推定値の後に二次チャネルに対応する最初に受信したシンボルの推定値が続くようにシンボル９６２を配列する。そのような実施例において、このプロセスは繰返される。すなわち一次チャネルに対応した別のシンボルが出力され、その後に二次チャネルに対応する別のシンボルが続く。ＭＵＸ９７０により生じるシンボルストリームは図６を参照してさらに記載されるコンボルーショナルデコーダ６５０に供給される。
【００９４】
各ボックス９８０に位置するモジュールのグループは信号基地局からの信号を追跡するために使用されるフィンガを表し、その間各基地局からも受信されるかも知れないマルチパス信号は考慮に入れない。簡単のために複数の信号を追跡するために使用される複数のフィンガが図９に示されているが、マルチパス環境を説明するために、異なるＰＮオフセットを有するさらに多くのフィンガが追加することができ、マルチパス環境において１つ以上の基地局から複数のマルチパス信号を追跡することができることは、技術に熟達した人は理解するであろう。
【００９５】
実施例の上記記述は、技術に熟達した人がこの発明を作成し、使用することを可能とするために提供される。これらの実施例に対する種々の変形は、技術に熟達した人には容易に明白であり、ここに定義される一般的な原理は、発明力の使用なしに他の実施例に適用できる。さらに、ここに開示された種々の方法は、発明力の使用なしにいかなる態様においても互いに結合することができる。従って、この発明はここに示した実施例に限定されることを意図したものではなく、開示された原理と新規な特徴に一致する最も広い範囲に一致する。
以下に、本出願時の特許請求の範囲に記載された発明を付記する。
[１]下記工程を具備する、基地局と遠隔局を有する通信システムにおいて情報信号の伝送を改良するための方法：
（ａ）遠隔局との第１および第２の伝送リンクを確立する；
（ｂ）基地局情報信号を符号化し、基地局情報信号よりも多くのビットを有する符号化情報信号を提供する；
（ｃ）前記符号化情報信号から選択されたビットを各々が有する第１および第２伝送信号を供給する；
（ｄ）それぞれ第１および第２の伝送リンクを介して前記遠隔局に前記第１および第２伝送信号の各々を伝送する；
（ｅ）前記遠隔局において前記第１および第２伝送信号を受信し結合し結合された符号化信号を提供する；および
（ｆ）前記結合された符号化信号を前記遠隔局において復号し、情報信号を提供する。
[２]前記第１および第２の伝送リンクは前記遠隔局と単一基地局との間に形成される、前記[１]の方法。
[３]前記第１および第２の伝送リンクは異なる伝送チャネル上に確立される、前記[２]の方法。
[４]前記第１および第２の伝送リンクは前記遠隔局と複数の基地局との間に形成される、前記[１]の方法。
[５]前記第１および第２の伝送信号は単一ウオルシュコードと混合される、前記[４]の方法。
[６]伝送リンクは前記遠隔局と２以上の別箇の基地局の各々との間で確立される、前記[３]の方法。
[７]前記リンクの各々の伝送信号は同一ウオルシュコードと混合される、前記[３]の方法。
[８]前記遠隔局は前記別箇の基地局とソフトハンドオフ状態にある、前記[３]の方法。
[９]前記遠隔局は単一基地局内でソフタハンドオフ状態にある、前記[１]の方法。
[１０]前記情報信号の伝送電力が所定のレベルをいつ超えるかを判断する工程をさらに具備し、前記情報信号の伝送を改良するための方法は、前記伝送電力判断に従って行なわれる、前記[１]の方法。
[１１]前記情報信号の伝送を改良するための方法は肯定的伝送電力判断の後実質的にすぐに行なわれる、前記[１]の方法。
[１２]工程（ｂ）はＲ＝１／ｎコード（ただしｎ＝１，２，３、・・・）を用いて前記情報信号を非乗算する工程からなる、前記[１]の方法。
[１３]ｎ＝２であり、工程（ｃ）は前記符号化信号の交互のビットを前記第１および第２伝送リンクに割当てる、前記[１２]の方法。
[１４]下記を具備する、基地局と遠隔局を有する通信システムにおいて情報信号の伝送を改良するためのシステム：
（ａ）遠隔局と確立された第１および第２の伝送リンク；
（ｂ）情報信号を符号化することにより形成される符号化情報信号であって、基地局情報信号よりも多くのビットを有する符号化情報信号；
（ｃ）各々が前記符号化情報信号から選択されたビットを有する第１および第２の伝送信号；
（ｄ）それぞれ前記遠隔局に前記第１および第２伝送信号の各々を伝送する第１および第２の伝送リンク；
（ｅ）前記遠隔局において、前記第１および第２の伝送信号を受信し結合することにより形成される結合された符号化信号；および
（ｆ）前記遠隔局において前記結合された符号化信号を復号することにより形成される回復された情報信号。
[１５]下記手段を具備する、基地局と遠隔局を有する通信システムにおいて情報信号の伝送を改良するためのシステム：
（ａ）前記遠隔局と第１および第２の伝送リンクを確立するための手段；
（ｂ）前記情報信号よりも多くのビットを有する符号化情報信号を提供するために情報信号を符号化する手段；
（ｃ）各々が前記符号化情報信号から選択されたビットを有する第１および第２の伝送信号を提供する手段；
（ｄ）それぞれ前記第１および第２の伝送リンクを介して前記遠隔局に前記第１および第２の伝送信号の各々を伝送する手段；
（ｅ）前記遠隔局において前記第１および第２の伝送信号を受信し結合し、結合された符号化信号を提供する手段；および
（ｆ）前記遠隔局において前記結合された符号化信号を復号し、情報信号を提供する手段。
【図１】
0005280499.tif 000002
【図２】
0005280499.tif 000003
【図３】
0005280499.tif 000004
【図４】
0005280499.tif 000005
【図５】
0005280499.tif 000006
【図６】
0005280499.tif 000007
【図７】
0005280499.tif 000008
【図８】
0005280499.tif 000009
【図９】
0005280499.tif 000010